(57)【要約】雄型バヨネットコネクターが管の部分を雌型ラッチコネクターに接続する。雄型バヨネットコネクターは、内腔と、遠位端部分と、近位端部分とを画定しているシャフトを含む。シャフトの遠位端部分は、雌型ラッチコネクター内でシール部材と係合して流体密シールを形成するように構成されているシール面を有する。シャフトは、遠位端部分の近位の隣接する環状凹部を画定している。環状凹部は、シール面よりも小さい直径のバンドによって分離されている、近位の面取りされた側壁と内腔の軸に対して垂直な遠位側壁とを有する。把持部が、雄型（male）バヨネットコネクターの近位端部分と環状凹部との間に形成されている。第１のシール面の長さ対把持部と遠位側壁との間の距離の比は、雄型バヨネットコネクターに加わる側面荷重力がシール面とシール部材との間の流体密シールを破断しないようなものである。
2013515926.tif 000002
【特許請求の範囲】
【請求項１】
管の部分同士を接続する雄型バヨネットコネクターであって、
第１の遠位端部分と第１の近位端部分とを有するとともに、第１の内腔と、前記第１の遠位端部分の近位の隣接する第１の環状チャネルとを画定している第１のシャフトと、
前記第１のシャフトの少なくとも一部の周りに延びる把持部と、
を備え、
前記第１のシャフトの前記第１の近位端部分は、第１の管の部分と係合するように構成されており、前記第１のシャフトの前記第１の遠位端部分は、雌型受け入れ構造体の第１の内面と係合して流体密シールを形成するように構成されている第１のシール面を有し、
前記第１の環状チャネルは遠位側壁によって画定されており、
前記第１のシール面の長さ対前記遠位側壁と前記把持部との間の距離の比は、該雄型バヨネットコネクターに加わる最大１０ポンドの側面荷重力が前記第１のシール面と前記雌型受け入れ構造体の前記第１の内面との間の前記流体密シールを破断しないようなものである、雄型バヨネットコネクター。
【請求項２】
前記第１の遠位側壁は、前記第１の内腔の軸に対して実質的に垂直な向きである面を画定している、請求項１に記載の雄型バヨネットコネクター。
【請求項３】
前記第１の遠位側壁は、前記雌型受け入れ構造体内の前記第１のラッチ構造部が前記第１の環状チャネルと係合しているときに前記雌型受け入れ構造体からの前記雄型バヨネットコネクターの抜去を防止するように、前記第１のラッチ構造部と結合する面を画定している、請求項１に記載の雄型バヨネットコネクター。
【請求項４】
前記把持部は、前記第１のシャフトの周りにフランジを画定するように前記第１のシャフトから軸方向に離れて延びている、請求項１に記載の雄型バヨネットコネクター。
【請求項５】
前記フランジは外側縁を画定しており、前記把持部は、前記フランジの前記外側縁に沿って、該把持部の把持を容易にする複数の窪みを含む、請求項４に記載の雄型バヨネットコネクター。
【請求項６】
前記第１のシール面の長さ対前記第１の遠位側壁と前記把持部との間の距離の比は０．８８９〜１．１０５である、請求項１に記載の雄型バヨネットコネクター。
【請求項７】
前記第１の環状チャネルは、前記第１の遠位側壁と対向する第１の斜角付き縁を更に画定している、請求項１に記載の雄型バヨネットコネクター。
【請求項８】
前記第１の斜角付き縁の面が、前記第１の内腔の軸に対してほぼ４５度である角度を画定している、請求項７に記載の雄型バヨネットコネクター。
【請求項９】
前記把持部は、前記雌型受け入れ構造体内への前記第１のシャフトの更なる挿入を防止するように位置決めされている、請求項１に記載の雄型バヨネット。
【請求項１０】
前記雄型バヨネットコネクターは、第２の遠位端部分と第２の近位端部分とを有するとともに、第２の内腔と、前記第２の遠位端部分の近位の隣接する第２の環状チャネルとを更に画定している第２のシャフトと、
を更に備え、
前記第２のシャフトの前記第２の近位端部分は、第２の管の部分と係合するように構成されており、前記第２のシャフトの前記第２の遠位端部分は、対応する雌型受け入れ構造体の第２の内面と係合して流体密シールを形成するように構成されている第２のシール面を有し、
前記第２の環状チャネルは第２の遠位側壁によって画定されており、
前記第２のシール面の長さ対前記第２の遠位側壁と前記把持部との間の距離の比は、前記雄型バヨネットコネクターに加わる最大１０ポンドの側面荷重力が前記第２のシール面と前記雌型受け入れ構造体の前記第２の内面との間の前記流体密シールを破断しないようなものである、請求項１に記載の雄型バヨネットコネクター。
【請求項１１】
前記把持部は前記第１のシャフトと第２のシャフトとを接続する、請求項１０に記載の雄型バヨネットコネクター。
【請求項１２】
前記把持部は、前記第１のシャフトの周りに第１のフランジを画定するように前記第１のシャフトから軸方向に離れて、かつ前記第２のシャフトの周りに第２のフランジを画定するように前記第２のシャフトから軸方向に離れて延びており、前記第１のフランジと前記第２のフランジとは該第１のフランジと該第２のフランジとの間のウェブ部分によって接続されている、請求項１１に記載の雄型バヨネットコネクター。
【請求項１３】
前記ウェブ部分は前記第１のフランジと前記第２のフランジとの間に凹状領域を画定している、請求項１２に記載の雄型バヨネットコネクター。
【請求項１４】
前記第１の内腔の第１の中心軸と前記第２の内腔の第２の中心軸との間の距離は、前記第１の遠位側壁と前記把持部との間の距離の１．６９５倍〜２．０３５倍である、請求項１０に記載の雄型バヨネット。
【請求項１５】
管の部分同士を接続する雄型バヨネットコネクターであって、
第１の遠位端部分と第１の近位端部分とを有するとともに、第１の内腔と、前記第１の遠位端部分の近位の隣接する第１の環状チャネルとを更に画定している第１のシャフトであって、該第１のシャフトの前記第１の近位端部分は、第１の管の部分と係合するように構成されており、該第１のシャフトの前記第１の遠位端部分は、雌型受け入れ構造体の第１の内面と係合して流体密シールを形成するように構成されている第１のシール面を有する、第１のシャフトと、
第２の遠位端部分と第２の近位端部分とを有するとともに、第２の内腔を更に画定している第２のシャフトであって、該第２のシャフトの前記第２の近位端部分は、第２の管の部分と係合するように構成されており、該第２のシャフトの前記第２の遠位端部分は、雌型受け入れ構造体の第２の内面と係合して流体密シールを形成するように構成されている第２のシール面を有する、第２のシャフトと、
前記第１のシャフトと前記第２のシャフトとを接続する把持部と、
を備え、
前記第１の環状チャネルは、前記第１の内腔の軸に対して垂直である第１の遠位側壁と、斜角付き縁を有する第１の近位側壁とによって画定されており、前記第１のシール面の長さ対前記第１の遠位側壁と前記把持部との間の距離の比は、該雄型バヨネットコネクターに加わる最大１０ポンドの側面荷重力が前記第１のシール面と前記雌型受け入れ構造体の前記第１の内面との間の前記流体密シールを破断しないようなものである、雄型バヨネットコネクター。
【請求項１６】
前記第２のシャフトは、前記第２の遠位端部分の近位の隣接する第２の環状チャネルを画定しており、
前記第２の環状チャネルの遠位壁を画定している第２の環状棚部と前記第２の環状チャネルの近位壁を画定している第２の斜角付き縁とを更に画定しており、
前記第２の環状棚部は、前記第２の内腔の軸に対して垂直である面を画定しており、
前記第２のシール面の長さ対前記第２の環状棚部から前記把持部までの距離の比は、前記雄型バヨネットコネクターに加わる最大１０ポンドの側面荷重力が前記第２のシール面と前記雌型受け入れ構造体の前記第２の内面との間の前記流体密シールを破断しないようなものである、請求項１５に記載の雄型バヨネットコネクター。
【請求項１７】
前記把持部は、前記第１のシャフトの周りに第１のフランジを画定し、かつ前記第２のシャフトの周りに第２のフランジを画定するように前記第１のシャフトと前記第２のシャフトとから軸方向に離れて延びている、請求項１５に記載の雄型バヨネットコネクター。
【請求項１８】
前記第１のシャフトと前記第２のシャフトとは、前記第１のフランジと前記第２のフランジとの間に延びるウェブ部分によって接続されている、請求項１６に記載の雄型バヨネットコネクター。
【請求項１９】
前記把持部は外側縁を画定しており、該把持部の該外側縁に沿って、該把持部の把持を容易にする複数の窪みを含む、請求項１６に記載の雄型バヨネットコネクター。
【請求項２０】
前記第１の内腔の第１の中心軸と前記第２の内腔の第２の中心軸との間の距離は、前記第１の遠位側壁から前記把持部までの距離の１．６９５倍〜２．０３５倍である、請求項１５に記載の雄型バヨネット。
【請求項２１】
管の部分同士を接続する雄型バヨネットコネクターであって、
シャフトであって、
雌型受け入れ構造体の受け入れ部分と係合するように構成されているシール面を画定している遠位端部分と、
管の部分と係合するように構成されている近位端部分と、
を有し、該シャフトは、
軸方向内腔と、
前記第１の遠位端部分の近位の隣接する環状チャネルと、
を更に画定しており、環状チャネルは、
前記内腔の軸に対して垂直である遠位側壁と、
斜角付き縁を有する近位側壁と、
を更に備えるシャフトを備える、雄型バヨネットコネクター。
【発明の詳細な説明】
【技術分野】
【０００１】
本開示は、包括的には、ガス状流体及び液体流体の両方を搬送するために用いられる医療用装置の分野に関し、より詳細には、管の１つ又は複数の部分（sections）と雌型ラッチコネクターとの間に解放可能な空気・流体シール接続部を形成する雄型バヨネットコネクターに関する。
【０００２】
［関連出願の相互参照］
本願は、「Male bayonet connector」と題する２００９年１２月２３日に出願された米国仮特許出願第６１／２８９，５４５号（この出願はＰＣＴ規則２０．６条の目的で参照によりその全体が本明細書に援用される）に対する優先権を主張する。
【０００３】
本願は、「Fluid connector latches profile lead-ins」と題する本願と同時に出願された特許協力条約出願第      ［代理人整理番号Ｐ１９１６２２．ＷＯ．０１］、「Button latch with integrally molded cantilever springs」と題する本願と同時に出願された特許協力条約出願第      ［代理人整理番号Ｐ１９１６２７．ＷＯ．０１］、「Female dual lumen connector」と題する２００９年１２月２３日に出願された米国意匠特許出願第２９／３５２，６３７号、及び「Male dual lumen bayonet connector」と題する２００９年１２月９日に出願された米国意匠特許出願第２９／３５１，６６５号（これらの出願はそれぞれＰＣＴ規則２０．６条の目的で参照によりその全体が本明細書に援用される）に関連する。
【背景技術】
【０００４】
管の部分、例えば医療用管は、多くの場合、一方の構成要素から別の構成要素へのガス流体流及び／又は液体流体流を供給するために一緒に接合されなければならない。さらに、管の部分を互いに接続すること及び互いから分離することが多くの場合に望ましい。例えば、患者の血圧を自動血圧モニターによって計る場合、（一般的に患者の腕の周りに巻き付けられる）血圧計のカフからの管が、血圧モニターに接続されている管に接続される。カフを血圧モニターから分離するには、カフに接続されている管の部分を血圧モニターに接続されている管から単に取り外すことが望ましい。同様に、静脈内輸液を供給する場合に、静脈注射針又はステントを患者から抜去することなく空の流体バッグと満杯の流体バッグとを取り替えることが多くの場合に必要である。第１の流体バッグと第２の流体バッグとを切り替えるには、流体バッグに接続されている管の部分を、患者の静脈内に配置されている針又はステントと接続されている管の部分から単に取り外すことが望ましく、次いでこれを新たな流体バッグと接続されている管の部分と容易に接続することができる。
【０００５】
既存の管コネクターは、接続されているチューブを介して患者がまだ処置を受けているときに、接続されているチューブと構成要素との重量によって生じる側面荷重（side loads）と、患者又は医療従事者がチューブを思いがけず引っ張ることとに起因して漏れ及び不所望な分離が生じやすい。
【０００６】
さらに、特定の医療用装置は、患者と該装置との間で空気又は流体を供給する複数のチューブの使用を必要とする。例えば、General Electric社によって製造されているＤｉｎａｍａｐ  Ｐｒｏｃａｒｅシリーズのような血圧モニターの特定のモデルには、血圧計のカフをモニターに接続するためにデュアルチューブが採用されている。したがって、患者をモニターにつなぐか又は外すときに複数のコネクターを個々に接続及び分離する必要性を回避するために、チューブセグメント間で空気流を誘導する複数の空気通路を含むコネクターが望ましい。
【発明の概要】
【発明が解決しようとする課題】
【０００７】
本明細書のこの背景の項に含まれる情報は、本明細書中で引用されるあらゆる引例及びそのあらゆる記載又は説明を含め、技術的な参照のみを目的として含まれており、本発明の範囲を定める主題とはみなされない。
【０００８】
雄型バヨネットコネクターが、内部に内腔を画定しているシャフトと、ユーザーがシャフトを把持することを容易にする把持部とを含むことができる。シャフトの外面が、管の部分と接続するための管継手（tubing coupling）と、雄型バヨネットコネクターと雌型コネクターとを接続するために該雌型コネクターのラッチと結合（interfaces）する環状凹部又は環状チャネルと、雄型コネクターと雌型コネクターとの間に流体シールを形成するように、雌型ラッチコネクター内の受け入れ内腔の内径にあるシール部材又はシール面と係合するシール部分とを画定することができる。
【０００９】
１つの実施の態様では、雄型バヨネットコネクターが、内腔を画定しているとともに遠位端部分と近位端部分とを有するシャフトを含む。シャフトの近位端部分は、管の部分と係合するように構成されており、シャフトの遠位端部分は、雌型ラッチコネクターの受け入れ内腔の内径にあるシール部材と係合して流体密シールを形成するように構成されているシール面を含む。雄型バヨネットコネクターは、シャフトの少なくとも一部の周りに延びる把持部を更に含む。シャフトは、遠位端部分の近位の隣接している環状凹部を画定している。環状凹部は、遠位端部分のシール面の外径よりも小さい直径を有する。環状凹部は、近位の面取りされた側壁と、シャフトの内腔の軸に対して垂直な遠位側壁とを有する。シール面の長さ対把持部と遠位側壁との間の距離の比は、雄型バヨネットコネクターに加わる、最大１０ポンドの側面荷重力（side-load force）がシャフトの遠位端のシール面と雌型受け入れ構造体の内面との間の流体密シールを破断しないようなものである。
【００１０】
別の実施の態様では、雄型バヨネットコネクターの環状チャネルの垂直側壁は、雌型コネクターからの雄型バヨネットコネクターの抜去に抵抗する、雌型受け入れ構造体内のラッチ構造部と結合する面を画定している。
【００１１】
別の実施の形態では、把持部は、シャフトの周りにフランジを画定するようにシャフトから軸方向に離れて延びている。フランジは外側縁を画定することができ、把持部は、フランジの外側縁に沿って、把持部の把持を容易にする複数の窪みを含むことができる。
【００１２】
他の実施の形態では、環状チャネルの斜角付き側壁が、シャフトの内腔の軸に対してほぼ４５度である角度を更に画定している。別の実施の形態では、シール面の長さ対垂直側壁から把持部までの距離の比は、０．８８９〜１．１０５であるものとすることができる。
【００１３】
別の実施の態様では、雄型バヨネットコネクターは、２つの平行なシャフトであって、それぞれが別個の内腔を画定しているとともに、両方のシャフトの周りかつ両方のシャフトの間に延びる把持部によって一緒に保持されている２つの平行なシャフトを含む。これらの平行なシャフトの内腔の中心軸間の距離は、垂直側壁から把持部までの距離の１．６９５倍〜２．０３５倍であるものとすることができる。
【００１４】
本概要は、詳細な説明において以下で更に記載する概念の選集を簡略化された形で導入するために提供されている。本概要は、特許請求される主題の重要な特徴又は必須の特徴を特定することも意図せず、特許請求される主題の範囲を限定するために用いられることも意図しない。本発明の特徴、詳細、有用性及び利点のより広範な提示が、添付の図面に図示されるとともに添付の特許請求の範囲において規定される本発明の種々の実施形態の以下の記載においてなされる。
【図面の簡単な説明】
【００１５】
【図１】雄型デュアルバヨネットコネクター、雌型ラッチコネクター及びチューブ部分の正面等角図である。
【図２】図１に示される雄型デュアルバヨネットコネクターの後面等角図である。
【図３】図１に示される雄型デュアルバヨネットコネクターの正面図である。
【図４】図１に示される雄型デュアルバヨネットコネクターの上面図である。
【図５】図１に示される雄型デュアルバヨネットコネクターの後面図である。
【図６】図１に示される雄型デュアルバヨネットコネクターの側面図である。
【図７】図１に示される雌型ラッチコネクターに接続されている雄型デュアルバヨネットコネクターの側面図である。
【図８】雄型デュアルバヨネットコネクター及び雌型ラッチコネクターの後面等角図を図１の線８−８に沿った接続部材の断面で示す図である。
【図９】図１に示される雌型ラッチコネクターの分解後面等角図である。
【図１０】雌型ラッチコネクターのラッチ構造部の正面等角図である。
【図１１】雄型デュアルバヨネットコネクターの別の実施形態の側断面図である。
【図１２】雄型デュアルバヨネットコネクターの別の実施形態の側断面図である。
【図１３】雄型デュアルバヨネットコネクターの別の実施形態の側断面図である。
【図１４】雄型バヨネットコネクター及び雌型ラッチコネクターの後面等角図である。
【図１５】雄型バヨネットコネクターの後面等角図である。
【発明を実施するための形態】
【００１６】
雌型ラッチコネクターと併せた雄型バヨネットコネクターを用いて管の部分同士を解放可能に接続することができる。一実施形態では、雄型バヨネットコネクターは、内部の単一の内腔と、雌型ラッチコネクターの内面と係合して雄型構成要素と雌型構成要素との間にガス及び／又は液体の流体シールを形成するように構成されている外側シール面とを画定している単一のシャフト部分を有することができる。雌型ラッチコネクターは、雄型バヨネットコネクターが該雌型コネクターと接続されているときに抜去を防止するように雄型バヨネットコネクターの一部と係合するラッチ機構を含むことができる。別の実施形態では、雄型バヨネットコネクターは、それぞれが内部に内腔を画定しているデュアルシャフトを有することができる。代替的な実施形態では、雄型バヨネットコネクターは、３つ以上の内腔を画定している３つ以上のシャフトを有してもよい。マルチルーメン雄型バヨネットコネクターの実施形態では、把持部分を用いて、シャフト部分同士、及び複数の管の部分と係合して保持するように構成されている管継手を接合することができる。
【００１７】
雄型デュアルバヨネットコネクター１０２の例示的な状況が図１に示されている。この状況は、解放可能な接続アセンブリ１００と管部分１０４（１）〜１０４（４）とを含むことができる。解放可能な接続アセンブリ１００は、雄型デュアルバヨネットコネクター１０２と雌型ラッチコネクター２０６とを含むことができる。雄型デュアルバヨネットコネクター１０２は、図１１〜図１３に関して更に説明するように雌型ラッチコネクター２０６と接続することができる。
【００１８】
図１を参照すると、第１の管部分１０４（１）及び第２の管部分１０４（２）は、雌型ラッチコネクター２０６の遠位端においてそれぞれの管継手１４４（１）及び１４４（２）と接続することができる。第３の管部分１０４（３）及び第４の管部分１０４（３）は、雄型デュアルバヨネットコネクター１０２の近位端においてそれぞれの管継手１５４（１）及び１５４（２）と接続することができる。以下で更に説明するように、雄型デュアルバヨネットコネクター１０２は、該雄型デュアルバヨネットコネクター１０２の遠位端を、雌型ラッチコネクター２０６の近位端に画定されている受け入れ開口２０５（１）及び２０５（２）に挿入することによって雌型ラッチコネクター２０６と接続することができる。本明細書において用いられるような「近位」及び「遠位」の向きは任意で選択されており、本開示を限定することは意味せず、雌型ラッチコネクター２０６及び雄型デュアルバヨネットコネクター１０２の端に関して直前に説明した取り決め（convention）に従う。
【００１９】
雄型デュアルバヨネットコネクター１０２を、図２〜図６においてより詳細に示す。雄型デュアルバヨネットコネクター１０２は、把持部１７８によって接続されているデュアルシャフト１２２（１）及び１２２（２）を含むことができる。デュアルシャフト１２２（１）及び１２２（２）は、雄型バヨネットコネクター１０２の近位端から該コネクター１０２の遠位端まで延びることができる。図２、図３及び図５において最もよく分かるように、デュアルシャフト１２２（１）及び１２２（２）はそれぞれ、雄型デュアルバヨネットコネクター１０２と連結される第３の管部分１０４（３）及び第４の管部分１０４（４）から、雌型ラッチコネクター２０６と連結される第１の管部分１０４（１）及び第２の管部分１０４（２）へ、雌型ラッチコネクター２０６に画定されている対応する円筒形内腔２２７（１）及び２２７（２）を介して流体を搬送するために、円筒形内腔１０７（１）及び１０７（２）を画定することができる。シャフト１２２（１）及び１２２（２）のデュアル円筒形内腔１０７（１）及び１０７（２）は、デュアルシャフト１２２（１）及び１２２（２）の全長にわたって実質的に均一な直径を有することができるか、又は図３に断面で最も良く示されているように、より小さい直径断面及びより大きい直径断面を含むように、シャフト１２２（１）及び１２２（２）の長さに沿って直径を狭めるか又は広げることができる。他の実施形態では、デュアル円筒形内腔１０７（１）及び１０７（２）の直径は一定とすることができる。更なる実施形態では、管継手１４４（１）及び１４４（２）における内腔１０７（１）及び１０７（２）の部分を、異なる管構成に対応するように、シャフト１２２（１）及び１２２（２）の長さに沿って該内腔１０７（１）及び１０７（２）の部分に対して半径方向にオフセットすることができる。例えば、デュアル円筒形内腔１０７（１）及び１０７（２）の直径はより大きくすることができ、かつ／又は管継手１４４（１）及び１４４（２）は、管１０４（１）及び１０４（２）の壁の様々な厚さに対応するように、デュアルシャフト１２２（１）及び１２２（２）よりも遠くに又はより近くに離間させることができる。
【００２０】
雄型デュアルバヨネットコネクター１０２のデュアル内腔構成は、各チューブに別個の接続アセンブリを必要とするのではなく単一の接続アセンブリを用いて２つ以上のチューブを同時に接続及び分離することを可能にする。したがって、雄型バヨネットコネクター１０２は、医療従事者が患者を医療機器につなぐ及び医療機器から外すのに必要な時間の量を短縮することによって、チューブのより効率的な接続及び分離を提供することができる。
【００２１】
デュアルシャフト１２２（１）及び１２２（２）の近位端はそれぞれ、（図１に見られるような）第３のチューブ部分１０４（３）及び第４のチューブ部分１０４（４）と連結するために、近位端に向かってテーパ状になっている錐台として形作られた連結端１５６（１）及び１５６（２）を含むことができる。図４及び図６において最も良く分かるように、連結端１５６（１）及び１５６（２）は、該連結端１５６（１）及び１５６（２）の近位端に向かって、すなわち錐台の小さい方の直径において、平坦にされた領域１５９（１）及び１５９（２）を含むことができる。連結端１５６（１）及び１５６（２）の近位端は、面取りされた縁１５７（１）及び１５７（２）を更に画定することができる。面取りされた縁１５７（１）及び１５７（２）の正確な角度は変えることができる。例えば、面取りされた縁１５７（１）及び１５７（２）は３０度〜５５度とすることができる。他の実施形態では、連結端１５６（１）及び１５６（２）の近位端は、丸みを帯びることができるか、又は平坦にされた領域１５９（１）及び１５９（２）に対して垂直にすることができる。連結端１５６（１）及び１５６（２）の平坦にされた領域１５９（１）及び１５９（２）と面取りされた縁１５７（１）及び１５７（２）とを含め、連結端１５６（１）及び１５６（２）の全体的なテーパ構成は、デュアルシャフト１２２（１）及び１２２（２）の連結端１５６（１）及び１５６（２）上への第３の管の部分１０４（３）及び第４の管の部分１０４（４）の挿入を容易にすることができる。
【００２２】
連結端１５６（１）及び１５６（２）の遠位端は、すなわち錐台の大きい方の直径において、連結端１５６（１）及び１５６（２）の遠位端の外径よりも狭い外径を有する第１の部分１６１（１）及び１６２（２）と、把持部１７８に向かって外径が徐々に広がる第２の部分１６２（１）及び１６２（２）とを有することができる連結シャフト部分１６０（１）及び１６０（２）に隣接することができる。したがって、連結シャフト部分１６０（１）及び１６０（２）は、幾つかの実施形態ではシャフト１２２（１）及び１２２（２）の長さに沿う外径が様々であることができるが、他の実施形態では、連結端１５６（１）及び１５６（２）の遠位端よりも狭い場合がある実質的に均一な外径を有することができる。連結端１５６（１）及び１５６（２）と、連結シャフト部分１６０（１）及び１６０（２）の第１の部分１６１（１）及び１６２（２）との間の外径が異なることによって、第３の管継手１０４（３）及び第４の管継手１０４（４）を保持する連結用の返し１５８（１）及び１５８（２）として機能する環状棚部が生じることができる。
【００２３】
シャフト１２２（１）及び１２２（２）の遠位端は、平坦にされたシール面１２３（１）及び１２３（２）を含むシール部分１２１（１）及び１２１（２）を画定することができる。以下で更に詳細に説明するように、各シール面１２３（１）及び１２３（２）は、雌型ラッチコネクター２０６の（例えば図１１〜図１３に示されるような）それぞれのシール部材２７０と係合して、雄型デュアルバヨネットコネクター１０２と雌型ラッチコネクター２０６との間に流体密シールを形成することができる。シール部分１２１（１）及び１２１（２）の遠位端は、図４、図２及び図６に示されるように丸みを帯びることができるか、又は他の実施形態では、面取りすることができるか若しくはシール面１２３（１）及び１２３（２）に対して垂直にすることができる。
【００２４】
シャフト１２２（１）及び１２２（２）は、把持部１７８に向かって延びる近位シャフト部分１６６（１）及び１６６（２）を画定している近位部分１６５（１）及び１６５（２）も含むことができる。近位シャフト部分１６６（１）及び１６６（２）は、シール部分１２１（１）及び１２１（２）と同じ外径を有することができる。一実施形態では、近位シャフト部分１６６（１）及び１６６（２）は均一の外径を有することができる。他の実施形態では、近位シャフト部分は、シール部分１２１（１）及び１２１（２）の外径よりも大きいか又は小さい外径を有することができる。
【００２５】
シャフト１２２（１）及び１２２（２）はまた、近位部分１６５（１）及び１６５（２）とシール部分１２１（１）及び１２１（２）との間に、雄型デュアルバヨネットコネクター１０２を雌型ラッチコネクター２０６に係止する環状チャネル１２４（１）及び１２４（２）をそれぞれ含むことができる。図３に示されるように、環状チャネル１２４（１）及び１２４（２）は、シール部分１２１（１）及び１２１（２）の外径よりも小さい外径を有する底部領域１３５（１）及び１３５（２）を含む。各環状チャネル１２４（１）及び１２４（２）の遠位端は、円筒形内腔１０７（１）及び１０７（２）の軸に対して垂直な遠位側壁１０３（１）及び１０３（２）によって境界を定められている。環状チャネル１２４（１）及び１２４（２）の深さは、シール部分１２１（１）及び１２１（２）の半径と底部領域１３５（１）及び１３５（２）の半径との差によって画定されている。
【００２６】
図４及び図６の雄型デュアルバヨネットコネクター１０２の上面図及び側面図に最も良く示されるように、各環状凹部１２４（１）及び１２４（２）の近位端は、面取りされた縁又は斜角付き縁１０１（１）及び１０１（２）によって画定することができる。斜角付き縁１０１（１）及び１０１（２）は、円筒形内腔１０７（１）及び１０７（２）の軸に対して或る角度を画定することができる。例えば、各斜角付き縁１０１（１）及び１０１（２）によって画定されている面は、円筒形内腔１０７（１）及び１０７（２）の軸に対して４５度の角度を形成することができる。斜角付き縁１０１（１）及び１０１（２）は、ラッチプレート２００の近位側と結合し、これによって雄型デュアルバヨネットコネクター１０２を近位に押しやり、垂直側壁を、環状チャネル１２４（１）及び１２４（２）内にある雌型ラッチコネクター２０６のラッチプレート２００に対して保持する。この結合により、雌型ラッチコネクター２０６に対する雄型デュアルバヨネットコネクター１０２の移動が低減し、それによって雌型ラッチコネクター２０６のシール部材２０７の摩耗が低減する。他の実施形態では、斜角付き縁１０１（１）及び１０１（２）は、円筒形内腔１０７（１）及び１０７（２）の軸に対して垂直にすることができるか、湾曲させることができるか、又は代替的には０度〜９０度の任意の他の角度を画定することができる。
【００２７】
図３に示されるように、シャフト１２２（１）及び１２２（２）のシール面１２３（１）及び１２３（２）の長さＤ１は、環状チャネル１２４（１）及び１２４（２）の垂直側壁１０３（１）及び１０３（２）から把持部１７８までの距離Ｄ２に対して或る関係を有することができる。一実施形態では、シール面１２３（１）及び１２３（２）の長さＤ１対垂直側壁１０３（１）及び１０３（２）から把持部１７８までの距離Ｄ２の比は、雄型バヨネットコネクター１０２に加わる、最大１０ポンドの側面荷重力がシール面１２３（１）及び１２３（２）と雌型コネクター２０６のシール部材２７０との間のシールを破断しないようなものとすることができる。例えば、幾つかの実施態様では、長さＤ１対距離Ｄ２の比は、０．８８９〜１．１０５とすることができる。
【００２８】
環状棚部１０３（１）及び１０３（２）から把持部１７８までの距離Ｄ２に対して比例して実質的に同じであるか又はより長いシール面１２３（１）及び１２３（２）が、雄型デュアルバヨネットコネクター１０２を雌型ラッチコネクター２０６内へ挿入するときにシャフト１２２（１）及び１２２（２）に対して有意な横方向支持を与えることができる。シャフト１２２（１）及び１２２（２）の長さのこの比例性は、軸方向力が雄型デュアルバヨネットコネクター１０２又は雌型ラッチコネクター２０６に加わるとき等に側面荷重力に対する抵抗を高めるとともにシール機構２７０に沿った不均一な力分散を防止するように作用する。例えば、シール面１２３（１）及び１２３（２）の長さは、雄型デュアルバヨネットコネクター１０２と雌型ラッチコネクター２０６とのより良好な引込み時の位置合わせ（lead-in alignment）を可能にすることができる。加えて、シール面１２３（１）及び１２３（２）の長さは、雌型ラッチコネクター２０６内の比較的長い支持面と結合すると、雌型ラッチコネクター２０６と接続しているときの雄型デュアルバヨネットコネクター１０２の軸方向移動に更に抵抗することができる。雌型ラッチコネクター２０６内での雄型デュアルバヨネットコネクター１０２の軸方向移動の低減は、シール部材２７０がシャフト１２２（１）及び１２２（２）の遠位端を挟むか又は該遠位端から滑り出ることに抵抗するのを助け、かつシール部材２７０の内面とシール面１２３（１）及び１２３（２）との間の接触を保って流体密シールを維持することができる。
【００２９】
シール面１２３（１）及び１２３（２）の長さは、雄型デュアル内腔コネクター１０２と雌型ラッチコネクター２０６との係合中にシール部材２７０がシャフト１２２（１）及び１２２（２）の遠位端から滑り出ることを防止するように、シール部材２７０をシャフト１２２（１）及び１２２（２）の遠位端から離して位置決めすることを更に可能にする。例えば、シール部材２７０を越えてシャフト１２２（１）及び１２２（２）の遠位端に向かって延びる雌型ラッチコネクター２０６内の支持領域と結合するときに、シール面１２３（１）及び１２３（２）と雌側（female）支持領域との係合によって、側面荷重下でのシャフト１２２（１）及び１２２（２）の軸方向の不整合に抵抗し、したがって漏れ経路を生じさせる可能性をかなり低減することができる。このことは、シャフトの軸方向支持の大部分が雄型コネクターの遠位端において与えられることで軸方向荷重及び側面荷重をより一層受けやすいものとなるバヨネット設計に勝る改良に役立つ。したがって、シャフト１２２（１）及び１２２（２）のシール部分１２１（１）及び１２１（２）の長さＤ１は、雌型ラッチコネクター２０６と接続しているときの雄型デュアルバヨネットコネクター１０２の安定性を最適化するように選択することができる。
【００３０】
雄型デュアルバヨネットコネクター１０２は把持部１７８も含むことができ、該把持部１７８の一部が、デュアルシャフト１２２（１）及び１２２（２）間に延びてコネクター１０２のこれらのシャフト１２２（１）及び１２２（２）を接続することができる。一実施形態では、図７〜図１１に最も良く示されるように、把持部１７８は、シャフト１２２（１）及び１２２（２）を囲むとともに円筒形内腔１０７（１）及び１０７（２）の軸と同心である２つの概ね円形のフランジ１６７（１）及び１６７（２）を含む。フランジ１６７（１）及び１６７（２）は、該フランジ１６７（１）及び１６７（２）間に形成されているウェブ部分（webbed portion）１４６を介して接続することができ、雄型デュアルバヨネットコネクター１０２のシャフト１２２（１）及び１２２（２）の他の部分よりも大きい外径を有することができる。したがって、把持部１７８は、雌型ラッチコネクター２０６内へのシャフト１２２（１）及び１２２（２）の過挿入を防止するストッパー（stop）として、さらにはシャフト１２２（１）及び１２２（２）が雌型ラッチコネクター２０６内へ完全に挿入されることを確実にするガイドとして機能することができる。
【００３１】
図７、図８及び図１０に図示されるように、ウェブ部分１４６は、ユーザーが操作するときに雄型デュアルバヨネットコネクター１０２の簡単な把持を可能にするように、フランジ１６７（１）及び１６７（２）間に凹状領域１６８を画定することができる。フランジ１６７（１）及び１６７（２）間のウェブ部分１４６の凹状領域１６８を設けることは、雄型デュアルバヨネットコネクター１０２の把持部を改善することに加えて、把持部１７８を製造するのに必要な材料の量を低減するのに更に役立つことができ、それによって雄型デュアルバヨネットコネクター１０２の製造に関連する全体的なコストを低減する。代替的な実施形態では、フランジ１６７（１）及び１６７（２）間には凹状領域がなくてもよく、把持部１７８の外周は平坦な側壁を有する楕円形のトラックの形態であってもよい。
【００３２】
ウェブ部分１４６はまた、雄型デュアルバヨネットコネクター１０２の内腔１０７（１）及び１０７（２）の互いに対する最適な位置決めを可能にするという点で更なる利点を提供する。特に、ウェブ部分１４６は、内腔１０７（１）及び１０７（２）の中心軸間のスペースを最大限にして両方の個々のウェブ付きチューブ、すなわちそれらの長さに沿って中間のウェブによって接続されているチューブを、管を変更することなく簡便に接続及び抜去することを可能にすることができるように、内腔１０７（１）及び１０７（２）の位置決めを可能にする。一実施形態では、内腔１０７（１）及び１０７（２）の軸間の距離Ｄ３は、垂直側壁１０３（１）及び１０３（２）と把持部１７８との間の長さＤ２の約１．６９５倍〜２．０３５倍とすることができる。さらに、より広いウェブ部分１４６であれば内腔１０７（１）及び１０７（２）を更に離して位置決めすることができ、取り付けられている管の絡まりを防止するのを助けることができ、一方でより狭いウェブ部分１４６であれば内腔１０７（１）及び１０７（２）をより近づけて位置決めする。より広いウェブ部分１４６は代替的には、より厚いチューブ壁に十分な隙間を提供することによって、より肉厚の管を雄型デュアルバヨネットコネクター１０２に取り付けることを可能にすることができる。したがって、ウェブ部分１４６の幅は、雄型デュアルバヨネットコネクター１０２に取り付けられている管の仕様に従って変えることができる。
【００３３】
さらに、把持部１７８の外側縁１９８が、ユーザーが雄型デュアルバヨネットコネクター１０２を把持することを更に容易にするように、１つ又は複数の等間隔に離間した窪み１８８を含むことができる。図２〜図６に示されている実施形態では、把持部１７８の外側縁１９８は、リング１６７（１）及び１６７（２）がそれぞれ６個の窪み１８８を含む１２個の等間隔に離間した窪み１８８と、リング１６７（１）及び１６７（２）間に延びる凹状ウェブ部分１４６とを含む。しかし、窪み１８８の正確な数、形状及びサイズは、把持部１７８の、ユーザーのための把持面が改善される限りは重要ではない。したがって、他の実施形態では、把持部１７８に沿った窪み１８８の数、形状及びサイズは変えることができる。
【００３４】
把持部１７８の別の機能は、雄型デュアルバヨネットコネクター１０２と雌型ラッチコネクター２０６との適切な引込み時の位置合わせを提供し、それによって雌型ラッチコネクター２０６内への雄型デュアルバヨネットコネクター１０２の適切な挿入を可能にすることである。さらに、把持部１７８は、シール面１２３（１）及び１２３（２）がシール部材２７０に対して加える圧力の均一な分散を可能にすることでシール面１２３（１）及び１２３（２）の周りの漏れ、並びに時間とともにシール部材２７０が変形すること及び／又は不均一に摩耗することを防止するように、係合中の、シャフト１２２（１）及び１２２（２）と、雌型ラッチコネクター２０６の受け入れ開口２０５（１）及び２０５（２）との軸方向の位置合わせを確実にする。
【００３５】
更なる実施形態では、平坦なリブ（図示せず）が、シャフト１２２（１）及び１２２（２）の近位部分１６５（１）及び１６５（２）間に延びて、雄型デュアル内腔コネクター１０２により大きな構造的剛性を与えることができる。リブの長さ及び厚さは、設計上の要件若しくは制約に応じて、又はコネクター１０２を形成するのに用いられる材料の相対的なデュロメーターを用いて変えることができる。リブは、把持部１７８のウェブ部分１４６に接続しても接続しなくてもよい。
【００３６】
雄型デュアルバヨネットコネクター１０２に接続することができる雌型ラッチコネクター２０６の一実施形態が図８〜図１０に示されている。雌型ラッチコネクター２０６は、雄型デュアルバヨネットコネクター１０２のデュアルシャフト１２２（１）及び１２２（２）を受け入れる２つの開口２０５（１）及び２０５（２）を画定している外側エンクロージャー２０９を含むことができる。図７に示されるように、雌型ラッチコネクター２０６は、シャフト１２２（１）及び１２２（２）を受け入れるように、組み付けられた雌型ラッチコネクター２０６の外側開口２０５（１）及び２０５（１）と軸方向に位置合わせされる２つの受け入れ孔２０３（１）及び２０３（２）を画定しているラッチプレート構造部２００を更に含むことができる。
【００３７】
雌型ラッチコネクター２０６は、該雌型ラッチコネクター２０６を貫通する２つの円筒形内腔２２７（１）及び２２７（２）を更に画定することができる。一実施形態では、雌型ラッチコネクター２０６の円筒形内腔２２７（１）及び２２７（２）は、雌型ラッチコネクター２０６と雄型デュアル内腔コネクター１０２とが接続されたときに、雌側の内腔２２７（１）及び２２７（２）が雄側の円筒形内腔１０７（１）及び１０７（２）の少なくとも一部と軸方向に位置合わせされることで、接続された雄型コネクター１０２と雌型コネクター２０６との間の流体の流れを容易にするように位置決めされる。他の実施形態では、雄型コネクター１０２の内腔１０７（１）及び１０７（２）のセクションと、雌型コネクター２０６の内腔２２７（１）及び２２７（２）のセクションとを、互いに対してオフセットしてもよい。さらに、雌型ラッチコネクター２０６は、図１に示されるように管部分１０４（１）及び１０４（２）と係合するようにそれぞれ構成されている２つの管継手２５４（１）及び２５４（２）を含むことができる。雌型ラッチコネクター２０６の管継手２５４（１）及び２５４（２）は、雄型管継手１５６（１）及び１５６（２）と同様の構成とすることができる。
【００３８】
雌型ラッチコネクター２０６のラッチプレート構造部２００が図９及び図１０に示されている。図１０において最も良く分かるように、ラッチプレート構造部２００の受け入れ孔２０３（１）及び２０３（２）の底壁に沿ってラッチ面２０１（１）及び２０１（２）を形成することができる。一実施形態では、ラッチプレート２００は、雄型デュアルバヨネットコネクター１０２内の環状チャネル１２４（１）及び１２４（２）と結合するように、弾性的に上方へ付勢されてラッチ面２０１（１）及び２０１（２）を上昇させることができる。例えば、シャフト１２２（１）及び１２２（２）を孔２０３（１）及び２０３（２）内へ挿入するにつれて、ラッチプレート２００が下方へ付勢されて受け入れ孔２０３（１）及び２０３（２）を下げることで、シャフト１２２（１）及び１２２（２）の外径を収容することができる。一実施形態では、受け入れ孔２０３（１）及び２０３（２）はそれぞれ、シャフト１２２（１）及び１２２（２）をラッチ構造部２００の受け入れ孔２０３（１）及び２０３（２）へ挿入することを容易にするために角度が付けられている面取りされた縁２０７（１）及び２０７（２）によって画定することができる。ラッチプレート２００の遠位面は、シャフト１２２（１）及び１２２（２）の環状棚部１０３（１）及び１０３（２）と結合して該シャフト１２２（１）及び１２２（２）が雌型ラッチコネクター２０６から抜去されることを防止することができる遠位ラッチ縁２１１（１）及び２１１（２）を画定することができる。
【００３９】
ラッチ面２０１（１）及び２０１（２）は、該ラッチ面２０１（１）及び２０１（２）を雄型デュアルバヨネットコネクター１０２から係脱させるために解放機構２１５に操作可能に連結することができる。例えば、図１、図９及び図１０に示されるように、解放機構２１５はボタンとすることができ、このボタンは、押下されると、ラッチ面２０１（１）及び２０１（２）が環状チャネル１２４（１）及び１２４（２）から離れて雌型ラッチコネクター２０６の受け入れ孔２０５（１）及び２０５（２）からのシャフト１２２（１）及び１２２（２）の抜去を可能にすることができるようにラッチプレート２００を下げることができる。
【００４０】
雌型ラッチコネクター２０６は、デュアルシャフト１２２（１）及び１２２（２）のシール面１２３（１）及び１２３（２）と係合して雌型受け入れ部分２０６と雄型デュアルバヨネットコネクター１０２との間に流体密シールを形成するシール部材２７０を更に含むことができる。シール部材２７０は、雌側のシール部材２７０と雄型デュアルバヨネットコネクター１０２のシール面１２３（１）及び１２３（２）との間のシール結合を高めることができる弾性材料から作ることができる。
【００４１】
雄型デュアルバヨネットコネクター１０２に接続されている雌型ラッチコネクター２０６を示す図１１〜図１３に最も良く示されるように、雌型受け入れ部分２０６内のシール部材２７０の構造は、該雌型受け入れ部分２０６の異なる実施形態に従って変えることができる。図９に示されるように、一実施形態では、シール部材２７０は、シール面１２３（１）及び１２３（２）全体を覆うとともに雄型デュアルバヨネットコネクター１０２の遠位端との端部シールを形成するように、シール部分１２１（１）及び１２１（２）の長さＤ１全体に沿って延びるオーバーモールドシール２７２とすることができる。別の実施形態では、図１０に図示されるように、シール部材２７０は、シール面１２３（１）及び１２３（２）の長さＤ１の一部のみを覆うことができるオーバーモールドシール２７４とすることができる。また別の実施形態では、図１１に示されるように、シール部材２７０は、シール面１２３（１）及び１２３（２）と点接触するＯリング２７６を含むことができる。Ｏリング２７６は、雌型ラッチコネクター２０６によって画定されている凹状領域２７５内に着座することができる。
【００４２】
雄型デュアルバヨネットコネクター１０２と雌型ラッチコネクター２０６とを接続するために、デュアルシャフト１２２（１）及び１２２（２）を、雌型ラッチコネクター２０６の外側エンクロージャー２０９に画定されている開口２０５（１）及び２０５（２）（図１に示されている）と、ラッチプレート構造部２００によって画定されている孔２０３（１）及び２０３（２）とに挿入することができる。シャフト１２２（１）及び１２２（２）をラッチプレート構造部２００の孔２０３（１）及び２０３（２）に挿入することによって、シャフト１２２（１）及び１２２（２）の丸みを帯びた遠位端１７７（１）及び１７７（２）とラッチ面２０１（１）及び２０１（２）の面取りされた縁２０７（１）及び２０７（２）との間の相互作用によりラッチプレート２００が下がる。
【００４３】
ラッチ面２０１（１）及び２０１（２）が環状チャネル１２４（１）及び１２４（２）の下に位置決めされるようにシャフト１２２（１）及び１２２（２）が十分に深く挿入されると、ラッチプレート構造部２００は、ラッチ面２０１（１）及び２０１（２）の少なくとも一部が環状チャネル１２４（１）及び１２４（２）内に少なくとも部分的に着座するように上昇することができる。図９〜図１１に断面で最も良く示されるように、環状チャネル１２４（１）及び１２４（２）によって画定されている斜角付き縁１０１（１）及び１０１（２）には、ラッチ面２０１（１）及び２０１（２）の面取りされた縁２０７（１）及び２０７（２）によって画定されている角度と対向するように角度を付けることができ、それによって、接続された雌型ラッチコネクター２０６に対する雄型デュアルバヨネットコネクター１０２の横方向移動を防止する。
【００４４】
ラッチプレート２００の遠位ラッチ縁２１１（１）及び２１１（２）は、雌型受け入れ部分２０６からのシャフト１２２（１）及び１２２（２）の抜去を防止するように環状チャネル１２４（１）及び１２４（２）の垂直遠位側壁１０３（１）及び１０３（２）と結合することができる。垂直遠位側壁１０３（１）及び１０３（２）は、長手方向及び軸方向の荷重下でのラッチプレート２００からの係脱に抵抗する。一実施形態では、ラッチ面２００の遠位ラッチ縁２１１（１）及び２１１（２）を、シャフト１２２（１）及び１２２（２）に画定されている垂直遠位側壁１０３（１）及び１０３（２）と向かい合わせにすることで、より大きな軸方向保持力と、シャフト１２２（１）及び１２２（２）の側部とは対照的にシャフト１２２（１）及び１２２（２）の底部から雄型デュアルバヨネットコネクター１０２と雌型受け入れ部分２０６とを係止させる能力とを提供することができる。この底部の係止機能部は、ラッチプレート２００を下げて雄型デュアルバヨネットコネクター１０２を解放するのに必要な距離を更に小さくし、それによって雌型ラッチコネクター２０６の全体的な人間工学的設計を改良するとともに、雄型デュアルバヨネットコネクター１０２を雌型ラッチコネクター２０６内へ挿入するのに必要な挿入力を最小限に抑える。
【００４５】
シャフト１２２（１）及び１２２（２）の細長いシール面１２３（１）及び１２３（２）は、シール機構２７０をシール面１２３（１）及び１２３（２）の遠位端から離して位置決めすることを可能にすることができる。上記で説明したように、このことは、シール機構２７０がシャフト１２２（１）及び１２２（２）の遠位端を挟むか又は該遠位端から滑り出ることを防止するのを助け、かつ接続された雄型デュアルバヨネットコネクター１０２又は雌型ラッチコネクター２０６のいずれかに軸方向力が加わるときに、シール機構２７０の内面とシール面１２３（１）及び１２３（２）との間の接触を保って流体密シールを維持することができる。幾つかの実施形態では、雌型ラッチコネクター２０６がＯリング２７６又は部分モールドシール２７４を含む場合等に、雌型ラッチコネクター２０６は、シャフト１２２（１）及び１２２（２）に更なる軸方向支持を与えるとともにシール機構２７０の変形を更に防止する、シャフト１２２（１）及び１２２（２）の遠位端の周りに位置決めされる更なる支持面２１６を含むことができる。
【００４６】
ユーザーは、雄型デュアルバヨネットコネクター１０２を雌型受け入れ部分２０６から抜去するには、ラッチ面２０１（１）及び２０１（２）が環状チャネル１２４（１）及び１２４（２）から離れるまで解放機構２１５を押下してラッチプレート２００を下げることができる。環状チャネル１２４（１）及び１２４（２）が離れると、雄型デュアルバヨネットコネクター１０２は雌型ラッチコネクター２０６から容易に係脱することができる。
【００４７】
図１４及び図１５は、雄型バヨネットコネクター３０１のシングル内腔の実施形態を示す。この実施形態では、雄型バヨネットコネクター３０１は、単一のシャフト３０３と、該シャフト３０３の長さを延びる単一の内腔３０５とを含むことができる。雄型デュアルバヨネットコネクター１０２と同様に、雄型バヨネットコネクター３０１の近位端は、管部分と接続する連結端３０６を含むことができる。管継手３０６は、図２〜図６に示される雄型デュアルバヨネットコネクター１０２の連結端１５６（１）及び１５６（２）と同様の構成を有することができる。シャフト３０３は、雄型バヨネットコネクター１０２の連結シャフト部分１６０（１）及び１６０（２）と同様の連結シャフト部分３３１と、コネクター１０２の近位シャフト部分１６６（１）及び１６６（２）と同様の構成の近位シャフト部分３６６とを更に含むことができる。雄型バヨネットコネクター３０１の遠位端は、図２〜図６に示される雄型デュアルバヨネットコネクター１０２の平坦にされたシール面１２３（１）及び１２３（２）と同様のシール面と、雄型デュアルバヨネットコネクター１０２の環状チャネル１２４（１）及び１２４（２）と同様の構成の環状チャネル３２４とを含むことができる。加えて、雄型バヨネットコネクター３０１は、その外側縁に沿って複数の窪み３１３を含むリング形の把持部３１１を含むことができる。一実施形態では、雄型バヨネットコネクター３０１の把持部３１１は１０個の窪みを含むことができる。
【００４８】
図１４に示されるように、雌型コネクター４０９は、雌型ラッチコネクター２０６のラッチプレート構造部２００と同様のラッチプレート構造部を含むことができる。雌型コネクター２０９のラッチプレートは、雄型バヨネットコネクター３０１のシャフト３０３を受け入れる単一の孔を含むことができる。さらに、雌型コネクター２０９は、図９〜図１１に示されるシール機構２７０と同様のシール機構を含むことができる。ラッチプレートは、接続されると、シャフト３０３の環状チャネルと結合することができ、シール機構は、図１１〜図１３に関して前述した方法と同様の方法で雄側シール面と結合することができる。雄型バヨネットコネクターと雌型ラッチコネクターとの他の実施形態は、行う医療処置に適切な任意の数の内腔と、返しと、関連するシャフト部分とを含むことができる。
【００４９】
前述の記載を前提に変形及び代替的な実施形態をなすことができることが当業者には明らかであろう。そのような変形及び代替的な実施形態はしたがって本発明の範囲内にあるとみなされる。
【００５０】
本明細書において用いる場合、内腔は、その定義の意味を指すだけではなく、開口、孔又は他の通路も指す。本明細書において言及される流体は、ガス状、液体、又はチューブを通って流動可能な材料の他の状態（すなわち粒状）とすることができる。さらに、コネクター構造は、一緒に接続されるときは上記ではシールされるものとして概して記載したが、シールされてもシールされなくてもよい。雄型デュアルバヨネットコネクターと雌型ラッチコネクターと、それらのそれぞれのチューブ部分との間の接続は、返し付きの継手以外によるものとすることができ、例えば、ねじ山、返しを用いない圧入、John Guest社製の継手、フェルール及びパネルマウントによるものとすることができるが、これらに限定されない。
【００５１】
方向に関する全ての言及（例えば上側、下側、上方、下方、左、右、左側、右側、上部、底部、上、下、内側、外側、垂直、水平、時計回り及び反時計回り）は、本発明の例を読み手が理解することを補助するために識別する目的で使用されるに過ぎず、特許請求の範囲において具体的に記載されない限り、特に本発明の位置、向き又は使用に関して限定するものではない。接合に関する言及（例えば取り付けられる、連結される、接続される、接合される等）は、広範に解釈されるべきであり、要素の接続部間の中間の部材、及び要素間の相対的な移動を含むことができる。したがって、接合に関する言及は、必ずしも２つの要素が直接的に接続されて互いに固定された関係にあることを示唆するものではない。
【００５２】
幾つかの場合、構成要素は、特定の特徴を有し、かつ／又は別の部品と接続される「端」に関連して説明される。しかし、当業者であれば、本発明が他の部品との接続点を越えてすぐに終端する構成要素に限定されないことを認識するであろう。したがって、「端」という用語は、特定の要素、連結部、構成要素、部品、部材等の終点に隣接する領域、終点の後方、前方、又は終点付近の領域を含むように広範に解釈されるべきである。本明細書に直接的又は間接的に記載される方法論において、種々のステップ及び動作は１つの可能性のある動作順で記載されるが、当業者は、ステップ及び動作を、本発明の精神及び範囲から必ずしも逸脱することなく再構成するか、入れ替えるか、又は排除することができることを認識するであろう。
【００５３】
上記明細書、例及びデータは、本発明の例示的な実施形態の構造及び使用の完全な説明を提供する。本発明の種々の実施形態を或る程度詳細に、すなわち１つ又は複数の個々の実施形態を参照して上述したが、当業者は、本発明の精神又は範囲から逸脱することなく、開示されている実施形態に対して多くの変更を行うことができる。したがって他の実施形態が意図される。上記の記載に含まれており、かつ添付の図面に示されている全ての事項は特定の実施形態の例示に過ぎないものとして解釈されるべきであり限定するものとは解釈されないことが意図される。添付の特許請求の範囲に規定されるような本発明の基礎となる要素から逸脱することなく細部又は構造の変更を行うことができる。
【図１】
2013515926.tif 000003
【図２】
2013515926.tif 000004
【図３】
2013515926.tif 000005
【図４】
2013515926.tif 000006
【図５】
2013515926.tif 000007
【図６】
2013515926.tif 000008
【図７】
2013515926.tif 000009
【図８】
2013515926.tif 000010
【図９】
2013515926.tif 000011
【図１０】
2013515926.tif 000012
【図１１】
2013515926.tif 000013
【図１２】
2013515926.tif 000014
【図１３】
2013515926.tif 000015
【図１４】
2013515926.tif 000016
【図１５】
2013515926.tif 000017
【国際調査報告】
2013515926.tif 000018
2013515926.tif 000019
2013515926.tif 000020